(57)【要約】【課題】磁気テープ記録再生装置において、磁気テープを精密に一定トルクで巻き取るリール台で、精密微小トルクを伝達可能とし、側圧等の外力に対して強く、しかも安価なリール台を供給することを目的とする。【解決手段】第一の回転体と第二の回転体を摩擦部材を介して当接せしめ、固定キャップ底部の摺動部と第一の回転体の間を弾性保持部材で付勢し、第二の回転体２と固定キャップ５を第一の回転体と固定キャップ底部の間隔を調整可能に螺合させ固定キャップ５を回すことで線ばね４の長さを無段階に可変させ伝達トルクを調整することで、精密微小トルクの伝達が可能となる。【選択図】  図１
2004178772.tif 000002
【特許請求の範囲】
【請求項１】
回転シャフトと、この回転シャフトを中心に駆動源により回転駆動される第一の回転体と、前記第一の回転体と摩擦部材を介して当接し前記第一の回転体の回転力が伝達される第二の回転体と、前記回転シャフトに回転可能に支持され、前記第二の回転体に係合された磁気テープを保持する固定キャップからなるリール台において、前記固定キャップ底部に設けた摺動部材と前記第一の回転体との間を弾性力を有する保持部材で付勢し、前記第二の回転体と前記固定キャップを螺合させて前記固定キャップ底部と前記第一の回転体との間隔を調整可能としたリール台。
【請求項２】
前記摩擦部材がフェルト、樹脂フィルム、または、金属板からなり、前記摺動部材が樹脂フィルム、または、金属板からなる請求項１に記載のリール台。
【請求項３】
前記弾性力を有する保持部材が線ばね、または、板ばねからなる請求項１に記載のリール台。
【請求項４】
前記固定キャップの下端部外周と前記第一の回転体の螺合部回転トルクが磁気テープ巻き取りのための一定トルクより十分大きいことを特徴とする請求項１に記載のリール台。
【発明の詳細な説明】
【０００１】
【発明の属する技術分野】
本発明は磁気テープ記録再生装置で、磁気テープを精密に一定トルクで巻き取るリール台に関するものである。
【０００２】
【従来の技術】
従来、この種のリール台としては、例えばマグネットを用いた特許文献１、特許文献２、線バネを用いた特許文献３リールクラッチ機構に記載されているようなものがあった。
【０００３】
【特許文献１】
実開平４−１２４８８９号公報
【特許文献２】
特開平４−１８３２６５号公報
【特許文献３】
特開平５−１２８６４６号公報
【０００４】
【発明が解決しようとする課題】
しかしながら、従来のマグネットを用いた構成では微小精密トルク伝達にはすぐれているが、出力部と入力部がマグネット吸引力のみで結合されているので、磁気テープを巻き取るフランジが磁気テープの張力によりマグネット吸引力を超える側圧を受けた際、前記フランジと直結する前記出力部が揺動するという課題を有していた。またマグネットは高価なため、コストアップになっていた。さらに、従来の固定キャップとばねを用いた構成では、±０．７ｇｒ・ｃｍという高精度のトルクを伝達するのは困難であり、従来技術例では２本のばねを用い、選択的に使用して、伝達トルクを調整しようとするものであるが、構成が複雑になり、また、±０．７ｇｒ・ｃｍという高精度のトルク調整は困難であった。さらに複雑な構成によりコストアップにもなる。
【０００５】
本発明は、前記従来の課題を解決するもので、マグネットを使用することなく、簡単な構成で側圧に強い微小精密トルクを伝達できるリール台を提供することを目的とする。
【０００６】
【課題を解決するための手段】
キャプスタンモータの発生トルクが入力される第一の回転体と、前記第一の回転体と摩擦部材を介して当接し、入力されたトルクの一部を磁気テープ巻き取りのために一定トルクで出力する第二の回転体と、前記第一の回転体と前記第二の回転体を弾性力を有する保持部材と摺動部材を介して押圧する固定キャップにより構成され、前記固定キャップと前記第二の回転体が螺合させてその間隔を調整することにより、マグネットを使用することなく、簡単な構成で側圧に強い微小精密トルクを伝達できるリール台を提供することができる。
【０００７】
【発明の実施の形態】
請求項１に記載の発明は、回転シャフトと、この回転シャフトを中心に駆動源により回転駆動される第一の回転体と、前記第一の回転体と摩擦部材を介して当接し前記第一の回転体の回転力が伝達される第二の回転体と、前記回転シャフトに回転可能に支持され、前記第二の回転体に係合された磁気テープを保持する固定キャップからなるリール台において、前記固定キャップ底部に設けた摺動部材と前記第一の回転体との間を弾性力を有する保持部材で付勢し、前記第二の回転体と前記固定キャップを螺合させて前記固定キャップ底部と前記第一の回転体との間隔を調整可能とし、前記弾性力を有する保持部材の長さを無段階に可変し、前記第一の回転体から前記第二の回転体への伝達トルクを精密に調整できる作用を有する。
【０００８】
請求項２に記載の発明は、特に、請求項１に記載の摩擦部材と摺動部材をフェルトにすることにより、変動の少ない安定した微小精密トルクを得ることができる。また、オイルなどの潤滑材塗布をしなくても、十分な寿命が得られ、工数削減等のコスト削減に効果がある。
【０００９】
請求項１に記載の摩擦部材と摺動部材を樹脂フィルムや金属板にした場合は、オイルなどの潤滑材塗布の必要が生じるが、環境変化や経時変化に対して、有利となり、モバイルデバイスに使用する場合はこれが主流となる。
【００１０】
請求項３に記載の発明は、特に、請求項１に記載の弾性力を有する保持部材４を線ばね、または、板ばねにすることにより、前記第一の回転体と前記第二の回転体を押圧する力をリニアに調整することができ、微小トルク調整が容易となる。しかし、前記摺動部材６と固定キャップ５と第二の回転体２は一体に回転するよう構成されているので、第一の回転体１と同回転する弾性力を有する保持部材４との間に回転数差が生じ、前記固定キャップと前記弾性力を有する保持部材４が周同する関係になることから、線ばね採用の際にはその端面を平面に仕上げる必要がある。板ばねであれば、端面は曲げを入れる等、比較的容易に端面処理をすることができる。コスト的には線ばねが有利となる。
【００１１】
請求項４に記載の発明は、特に、請求項１に記載の固定キャップの下端部外周と第一の回転体の内周の螺合部回転トルクを磁気テープ巻き取りのための一定トルクより十分大きくすることで、動作中に前記螺合部が回り、伝達トルクが変化することを防止することができる。
【００１２】
（実施の形態１）
以下本発明の実施の形態について、図面を参照しながら説明する。
【００１３】
図１は、本発明の一実施の形態におけるリール台の断面図を示すものである。図１において、キャプスタンモータ（図示なし）の発生トルクが入力される第一の回転体１と、前記第一の回転体１と摩擦部材３を介して当接し、入力されたトルクの一部を磁気テープ７の巻き取りのために一定トルクで出力する第二の回転体２と、前記第一の回転体１と前記第二の回転体２を弾性力を有する保持部材４と摺動部材６を介して押圧する固定キャップ５により構成され、前記固定キャップ５と前記第二の回転体２が螺合してなるリール台である。弾性力を有する保持部材４は特に線ばねを用いている。
【００１４】
以上のように構成されたリール台について、以下その動作、作用を説明する。まず、シャーシに固定された回転シャフト８に本発明の実施の形態のリール台を挿入する。前記リール台は前記回転シャフト８に対して、スラスト方向には、わずかなガタを持った状態で移動できない状態とし、ラジアル方向には軸受けにより回転自由の状態に取り付けられている。
【００１５】
この状態で前記第二の回転体２のラジアル方向をロックし、前記固定キャップ５を回転させると、螺合している前記固定キャップと前記第二の回転体回転し、ねじ作用により、前記固定キャップ５と前記第一の回転体１の距離が微小に変化する。このことにより前記線ばね４の長さが微小に変化し、前記第一の回転体１と摺動部材への押圧力を調整する。この押圧力により摩擦部材３と摺動部材６に発生する摩擦力が動力伝達トルクとなる。
【００１６】
前記第一の回転体１を回転させ、その回転トルクを測定しながら、前記調整を実施することにより、微小精密トルクを得ることができる。このとき螺合部回転トルクを磁気テープ巻き取りのための一定トルクより十分大きくすることで、前記一定トルクにより、前記螺合部が回転することを防止することが重要である。
【００１７】
以上のように、本実施の形態においては、前記第一の回転体１と摩擦部材３を介して当接し、入力されたトルクの一部を磁気テープ巻き取りのために一定トルクで出力する第二の回転体２と、前記第一の回転体１と前記第二の回転体２を前記線ばね４を介して押圧する固定キャップ５により構成され、前記固定キャップ５の下端部外周と前記第二の回転体２の内周部５ａが螺合することにより微小トルク調整が可能となり、しかも、本発明のリール台は、前記固定キャップ５と前記第二の回転体２が前記内周部５ａで螺合により固定されているので、前記固定キャップ５と前記第二の回転体２は一体物として扱うことができ、前記軸受け２ａと前記軸受け５ｂの長いスパンでしっかり支えられ、大きな側圧がかかっても前記第二の回転体の揺動を防ぐことができる。
【００１８】
（実施の形態２）
図２は、本発明の他の形態のリール台の断面図である。図２において、実施の形態１の構成と異なるところは、弾性力を有する保持部材４が特に、請求項３に記載の板ばねを用いている点である。図２において、キャプスタンモータ（図示なし）の発生トルクが入力される第一の回転体１と、前記第一の回転体１と摩擦部材３を介して当接し、入力されたトルクの一部を磁気テープ７の巻き取りのために一定トルクで出力する第二の回転体２と、前記第一の回転体１と前記第二の回転体２を弾性力を有する保持部材４と摺動部材６を介して押圧する固定キャップ５により構成され、前記固定キャップ５の下端部外周と前記第二の回転体２の内周部５ａが螺合してなるリール台である。弾性力を有する保持部材４は特に、請求項３に記載の板ばねを用いている。
【００１９】
作用については、実施の形態１と同様であるので省略することとする。前記摺動部材６と固定キャップ５と第二の回転体２は一体に回転するよう構成されているので、第一の回転体１と同回転する弾性力を有する保持部材４との間に回転数差が生じ、前記固定キャップと前記弾性力を有する保持部材４が摺動する関係になることから、実施の形態２では弾性力を有する保持部材４を板ばねにすることにより、板ばねの端面形状を図２に示すように半球形に作成すること等で、摺動ロスや摺動による接触部の変化を少なくできる。したがって、伝達トルクの経時変化を防ぎ、寿命の長いリール台を供給することができる。
【００２０】
【発明の効果】
以上のように本発明によれば、マグネットを使用することなく、簡単な構成で側圧に強い微小精密トルクを伝達できるリール台を提供することができる。
【図面の簡単な説明】
【図１】本発明の実施の形態１におけるリール台装置の断面図
【図２】本発明の実施の形態２におけるリール台装置の断面図
【符号の説明】
１  第一の回転体
２  第二の回転体
３  摩擦部材
４  保持部材
５  固定キャップ
６  摺動部材
７  磁気テープ
８  回転シャフト
【図１】
2004178772.tif 000003
【図２】
2004178772.tif 000004